(57)【特許請求の範囲】
【請求項１】
ワイヤーハーネスを固定する固定部がケースに設けられた電気接続箱において、
前記ケースの外周面には、前記ケースの表面を挟んだ対向位置に二つの前記固定部が突設されていると共に、前記ケースの表面において前記二つの固定部の対向方向で一方の前記固定部から他方の前記固定部に向かって延びるハーネス収容溝が設けられており、前記ワイヤーハーネスが前記ハーネス収容溝に嵌め入れられ且つ各前記固定部に固定されることにより前記ケース表面に配設されるようになっていると共に、
前記ケースの表面における前記一方の固定部側と前記他方の固定部側の少なくとも一方には、前記ハーネス収容溝の側部に沿って延びる支持壁が突設されており、且つ、
前記支持壁が、前記ハーネス収容溝の少なくとも一方の側部において、該ハーネス収容溝に向かって前記ケース表面からの突出高さが次第に大きくなる傾斜案内面と、前記ハーネス収容溝側において前記ケース表面から垂直に立ち上がる支持壁面とを有する三角断面形状で突設されている
ことを特徴とする電気接続箱。
【請求項２】
前記ハーネス収容溝の一方の端部が前記一方の固定部側で前記外周面に開口していると共に、前記ハーネス収容溝の他方の端部が前記ケースの表面に開口している一方、前記一方の固定部が前記ハーネス収容溝の底部から外方に突設されていると共に、前記他方の固定部が前記ケースの表面から外方に突設されており、前記ハーネス収容溝の底面が前記ケースの表面から前記一方の固定部に向かって傾斜している請求項１に記載の電気接続箱。
【請求項３】
前記一方の固定部が、前記ハーネス収容溝の底面と同じ方向に傾斜して延び出す傾斜支持面を備えている請求項１又は２に記載の電気接続箱。
【発明の詳細な説明】
【技術分野】
【０００１】
本発明は、自動車等に搭載される電気接続箱に係り、特に、ワイヤーハーネスがケースに固定されるようになっている電気接続箱に関する。
【背景技術】
【０００２】
従来から、自動車の電装系において電気接続箱が採用されており、車両に配設されたワイヤーハーネスがケース内部に収容された内部回路に接続されて、バッテリーから車載電装品等への効率的な電力分配が行われるようになっている。
【０００３】
ところで、電気接続箱に接続されるワイヤーハーネスは、他部材との干渉や、ワイヤーハーネスへ及ぼされる外力により電気接続箱から離脱すること等を防止するために、電気接続箱のケースに固定されることが行われている。例えば、特開平９−１８１７２号公報（特許文献１）に記載のとおり、ワイヤーハーネスに取り付けられた電線固定用のクリップを、電気接続箱のケースに設けられた係止孔に係合させて、ワイヤーハーネスを電気接続箱に固定する構造が広く採用されている。
【０００４】
ところが、このような従来構造では、電気接続箱のケースに対して係合孔を設ける必要があり、電気接続箱の防水性の観点から問題があった。また、ワイヤーハーネスに設けられたクリップを電気接続箱の係合孔へ係合する固定構造では、点固定となってしまい、多数の電線が束ねられて構成されたワイヤーハーネスを十分な強度を持ってケースに位置決め固定することが出来なかった。
【０００５】
なお、多数のクリップを用いて複数の固定点でワイヤーハーネスをケースに固定することも考えられるが、クリップが多くなると作業工程が煩雑になることに加えて、ケースに設けられる係合孔も増大して防水性の担保が一層難しくなる。また、複数の固定点間のワイヤーハーネスにある程度のたるみを持たせて配設する必要がある場合には、ワイヤーハーネスがたるみの範囲内で自由に移動可能であることから、他部材との干渉を十分に防止することが出来なかった。
【先行技術文献】
【特許文献】
【０００６】
【特許文献１】特開平９−１８１７２号公報
【発明の概要】
【発明が解決しようとする課題】
【０００７】
本発明は、上述の事情を背景に為されたものであって、その解決課題は、ケースの防水性を確保しつつ、ケース近傍に配設されるワイヤーハーネスを安定して支持固定することができる、新規な構造の電気接続箱を提供することにある。
【課題を解決するための手段】
【０００８】
本発明の第一の態様は、ワイヤーハーネスを固定する固定部がケースに設けられた電気接続箱において、前記ケースの外周面には、前記ケースの表面を挟んだ対向位置に二つの前記固定部が突設されていると共に、前記ケースの表面において前記二つの固定部の対向方向で一方の前記固定部から他方の前記固定部に向かって延びるハーネス収容溝が設けられており、前記ワイヤーハーネスが前記ハーネス収容溝に嵌め入れられ且つ各前記固定部に固定されることにより前記ケース表面に配設されるようになっていると共に、前記ケースの表面における前記一方の固定部側と前記他方の固定部側の少なくとも一方には、前記ハーネス収容溝の側部に沿って延びる支持壁が突設されており、且つ、前記支持壁が、前記ハーネス収容溝の少なくとも一方の側部において、該ハーネス収容溝に向かって前記ケース表面からの突出高さが次第に大きくなる傾斜案内面と、前記ハーネス収容溝側において前記ケース表面から垂直に立ち上がる支持壁面とを有する三角断面形状で突設されていることを、特徴とする。
【０００９】
本発明によれば、ケースの外周面に対向位置して設けられた２つの固定部でワイヤーハーネスが固定されると共に、ワイヤーハーネスにおいて２つの固定部の間の中間部分が、ケース表面に設けられたハーネス収容溝に嵌め入れられる。これにより、ワイヤーハーネスを３箇所でケースに固定して、移動を規制した状態で安定して固定することが出来る。特に、ワイヤーハーネスの中間部分はハーネス収容溝に嵌め入れるだけであることから、簡易な操作で、ワイヤーハーネスを電気接続箱に固定することが出来る。
【００１０】
また、２つの固定部とハーネス収容溝は、何れもケースの本体部分に穴等を設けることなく形成することが出来る。これにより、電気接続箱の防水性を高度に確保しつつ、ワイヤーハーネスを電気接続箱に安定して固定することが出来る。
【００１１】
特に、２つの固定部の間を延びるワイヤーハーネスの中間部分は、ワイヤーハーネスの強い剛性から、隙間無くケースに沿って配設することが難しい。従って、ワイヤーハーネスの中間部分に弛みが生じ易く、弛みの分だけ変位し易い。しかし、本発明によれば、ケースの表面にハーネス収容溝を形成してそこにワイヤーハーネスの中間部分を嵌まり込ませることによって、弛みを巧く吸収して位置決め保持することが出来る。
【００１２】
さらに、弛みや変形による他部材との干渉が問題となるワイヤーハーネスの中間部分をハーネス収容溝に入り込ませることで、ケース表面からのワイヤーハーネスの突出寸法を抑えることが出来る。これにより、他部材との干渉を有利に回避して、ワイヤーハーネスが配索された状態での電気接続箱の小型化を図ることも出来る。なお、ワイヤーハーネスは、全体をハーネス収容溝に嵌め入れても良いし、ハーネス収容溝に部分的に嵌め入れても良い。
上記本発明の第一の態様に係る電気接続箱においては、前記ケースの表面における前記一方の固定部側と前記他方の固定部側の少なくとも一方には、前記ハーネス収容溝の側部に沿って延びる支持壁が突設されている態様が、採用されている。
本態様によれば、ワイヤーハーネスの固定部に加えられる抜け方向の力を支持壁で補強的に支持することにより、固定部でのワイヤーハーネスの固定を一層安定して行うことが出来る。特に、ワイヤーハーネスの弛み量が少ない固定部の付近に支持壁を設けたことにより、支持壁の高さ寸法が小さくても十分な補強効果を得ることが出来る。なお、本態様において、好ましくは、一方の固定部側と他方の固定部側の両方に支持壁が設けられる。
特に、ハーネス収容溝の形成部位において支持壁を設けた場合には、ワイヤーハーネスの径寸法がハーネス収容溝では収容保持出来ない程度に大きな場合でも、ハーネス収容溝の深さを深くすることなく、支持壁と協働してワイヤーハーネスを位置決め保持することが出来る。その結果、電気接続箱の内部にスペース確保が困難で、ハーネス収容溝を深く形成することが出来ない場合でもワイヤーハーネスを安定して保持することが出来る。
なお、支持壁は、ワイヤーハーネスを挟む両側に形成しても良いし、ワイヤーハーネスへの外力の加わり方等を考慮して、ワイヤーハーネスがハーネス収容溝から外れ易い部位にのみ設ける等しても良い。
上記本発明の第一の態様に係る電気接続箱においては、前記支持壁が、前記ハーネス収容溝の少なくとも一方の側部において、該ハーネス収容溝に向かって前記ケース表面からの突出高さが次第に大きくなる傾斜案内面と、前記ハーネス収容溝側において前記ケース表面から垂直に立ち上がる支持壁面とを有する三角断面形状で突設されている態様が、採用されている。
本態様によれば、傾斜案内面によって、ワイヤーハーネスをハーネス収容溝の側方からハーネス収容溝に案内することが出来る。また、支持壁面によって、ハーネス収容溝からのワイヤーハーネスの離脱を阻止することが出来る。これにより、傾斜案内面による嵌め入れ作業の補助機能と、支持壁面によるワイヤーハーネスの離脱阻止機能とを、効果的に両立することが出来る。
【００１３】
本発明の第二の態様は、前記第一の態様に記載のものにおいて、前記ハーネス収容溝の一方の端部が前記一方の固定部側で前記外周面に開口していると共に、前記ハーネス収容溝の他方の端部が前記ケースの表面に開口している一方、前記一方の固定部が前記ハーネス収容溝の底部から外方に突設されていると共に、前記他方の固定部が前記ケースの表面から外方に突設されており、前記ハーネス収容溝の底面が前記ケースの表面から前記一方の固定部に向かって傾斜しているものである。
【００１４】
本態様においては、２つの固定部のケースにおける高さ位置が相互に異ならされており、剛性の高いワイヤーハーネスはケースの外周縁部に沿って屈曲させることが困難となる。その結果、２つの固定部に跨って延出するワイヤーハーネスの中間部分の弛みに起因する中間部分の移動範囲が大きくなって、他部材との干渉が起こり易くなるおそれがある。しかし、本態様によれば、ハーネス収容溝の底面を、ケース表面に位置する他方の固定部からケース表面よりも下方に位置する一方の固定部に向けて傾斜して設けたことから、ワイヤーハーネスの中間部分をより弛みなくケースに沿わせて配設することが出来て、一層安定してワイヤーハーネスの中間部分の保持を実現することが出来る。
【００２１】
本発明の第三の態様は、前記第一又は第二の態様に記載のものにおいて、前記一方の固定部が、前記ハーネス収容溝の底面と同じ方向に傾斜して延び出す傾斜支持面を備えているものである。
【００２２】
本態様によれば、一方の固定部の支持面もハーネス収容溝の底面と同様に傾斜させることによって、ハーネス収容溝の底面と固定部の間のワイヤーハーネスの弛みをより効果的に取り除くことが出来、ワイヤーハーネスをより強固に固定することが出来る。また、ワイヤーハーネスにおけるハーネス収容溝からの延出部分に対して、傾斜支持面により所定の方向性を付与することも出来る。
【発明の効果】
【００２３】
本発明によれば、ケースの外周面に２つの固定部を対向位置して設けると共に、それら２つの固定部の間にハーネス収容溝を設けて、ワイヤーハーネスをそれら２つの固定部で固定して、ハーネス収容溝に嵌め入れるようにした。これにより、ワイヤーハーネスを３箇所で安定して固定することが出来る。更に、２つの固定部とハーネス収容溝を、ケースに穴等を設けること無しに形成出来ることから、電気接続箱の防水性を確保しつつ、ワイヤーハーネスを安定して保持することが出来る。
【図面の簡単な説明】
【００２４】
【図１】本発明の一実施形態としての電気接続箱の斜視図。
【図２】図１に示した電気接続箱の背面図。
【図３】図２におけるＩＩＩ−ＩＩＩ断面に相当する説明図。
【図４】図２におけるＩＶ−ＩＶ断面に相当する拡大説明図。
【図５】図１に示した電気接続箱へのワイヤーハーネスの取付状態を示す斜視図。
【図６】ワイヤーハーネスの取付状態を説明するための、図３断面に相当する説明図。
【図７】ワイヤーハーネスの要部の斜視図。
【発明を実施するための形態】
【００２５】
以下、本発明の実施形態について、図面を参照しつつ説明する。
【００２６】
先ず、図１〜図３に、本発明の一実施形態としての電気接続箱１０を示す。図３から明らかなように、電気接続箱１０は、合成樹脂製のアッパケース１２とロアケース１４が、内部回路を構成するプリント基板１６を収容して相互に組み付けられた構造とされている。
【００２７】
アッパケース１２は、ロアケース１４に向けて開口する略長手矩形の箱体形状とされている。そして、図示は省略するが、アッパケース１２には、複数のヒューズ装着部やコネクタ装着部等が形成されており、プリント基板１６から突設された接続端子がそれらヒューズ装着部やコネクタ装着部内に突出されている。
【００２８】
一方、ロアケース１４は、アッパケース１２に向けて開口する略長手矩形の箱体形状とされており、略長手矩形の板形状とされた底板１８の外周部分に、外周壁２０がアッパケース１２に向けて突設された形状とされている。底板１８の表面２２上には、複数のコネクタ装着部２４が形成されている。図示は省略するが、これらコネクタ装着部２４内には、プリント基板１６に突設された接続端子が突出されている。
【００２９】
また、ロアケース１４において、ロアケース１４の長手方向（図２中、上下方向）で互いに反対側に位置して、表面２２を挟んで対向する外周面２６ａ，２６ｂには、一方の固定部としての第一の固定部２８ａと、他方の固定部としての第二の固定部２８ｂがそれぞれ一体形成されている。これら第一の固定部２８ａと第二の固定部２８ｂは、ロアケース１４の長手方向で同一直線上に形成されている。
【００３０】
第一の固定部２８ａは、外周面２６ａからロアケース１４の長手方向外方に突出された固定板部３０ａが、幅方向（図２中、左右方向）の両端縁部において補強リブ３２，３２（図１等参照）で外周面２６ａと接続された形状とされている。固定板部３０ａは、外周面２６ａから突出するに連れてアッパケース１２側に接近するように傾斜されており、固定板部３０ａにおける表面２２側の面が傾斜支持面３４とされている。傾斜支持面３４は、略矩形の平坦面とされている。そして、固定板部３０ａには、オーバル形状の係合孔３６が貫設されている。
【００３１】
一方、第二の固定部２８ｂは、第一の固定部２８ａと略同様の構造とされており、外周面２６ｂからロアケース１４の長手方向外方に突出された固定板部３０ｂが、幅方向（図２中、左右方向）の両端縁部において補強リブ３２，３２で外周面２６ｂと接続された形状とされている。固定板部３０ｂには、オーバル形状の係合孔３６が貫設されている。固定板部３０ｂには、平坦面とされた支持面３７が形成されている。支持面３７は、ロアケース１４の表面２２と同一平面上に形成されており、表面２２から連続して外周面２６ｂに対して垂直に突出されている。これにより、図３に示すように、第一の固定部２８ａと第二の固定部２８ｂは、電気接続箱１０の高さ方向となる、外周壁２０の表面２２からの突出方向（図３中、右方から左方）で互いの位置が異ならされており、第一の固定部２８ａが、第二の固定部２８ｂに比して、表面２２から遠位に位置されている。
【００３２】
さらに、ロアケース１４の表面２２には、ハーネス収容溝３８が形成されている。ハーネス収容溝３８は、表面２２上に開口して、ロアケース１４の長手方向（図２中、上下方向）に一直線状に延びる溝形状とされている。ハーネス収容溝３８は、表面２２上において、第一の固定部２８ａと第二の固定部２８ｂの対向方向で第一の固定部２８ａから第二の固定部２８ｂに向けて延び出されている。これにより、第一の固定部２８ａ、第二の固定部２８ｂ、ハーネス収容溝３８は、ロアケース１４の長手方向で略同一直線上に形成されている。ハーネス収容溝３８は、一方の端部が、外周面２６ａ上に開口された側方開口部４０とされていると共に、他方の端部が、ロアケース１４の長手方向の略中央部分で表面２２上に開口された表面開口部４２とされている。ハーネス収容溝３８の溝幅寸法（図２中、左右方向寸法）は、第一の固定部２８ａの傾斜支持面３４と略等しい略一定の幅寸法とされている。
【００３３】
図３に示すように、ハーネス収容溝３８の底面４４は、表面開口部４２において表面２２に接続されている一方、側方開口部４０において、第一の固定部２８ａの傾斜支持面３４に接続されている。これにより、底面４４は、表面２２から第一の固定部２８ａに向けて、表面２２に対して傾斜されており、表面開口部４２からハーネス収容溝３８の溝長さ方向（図３中、上下方向）の略中間部分に亘る傾斜面４６と、傾斜面４６から第一の固定部２８ａに至る平坦面４８を有している。そして、傾斜面４６が、表面開口部４２から第一の固定部２８ａ側に行くに連れて、表面２２から第一の固定部２８ａの傾斜支持面３４に向けて傾斜されている。従って、前記第一の固定部２８ａにおける傾斜支持面３４は、傾斜面４６と同方向に傾斜されている。また、平坦面４８が、表面２２と略平行に、第一の固定部２８ａに向けて延び出されて、傾斜支持面３４と接続されている。なお、底面４４は、表面開口部４２から側方開口部４０にかけて段差無く形成されており、傾斜面４６と平坦面４８は、明確な屈曲線を有することなく滑らかに接続されている。
【００３４】
さらに、ハーネス収容溝３８の底面４４は、表面開口部４２において表面２２と段差無く接続されていると共に、側方開口部４０において、第一の固定部２８ａの傾斜支持面３４と段差無く接続されている。これにより、ハーネス収容溝３８の底面４４において側方開口部４０側の端縁部５０は、傾斜支持面３４に向けて傾斜されて、傾斜支持面３４と滑らかに接続されており、傾斜支持面３４が、底面４４から段差無く連続してロアケース１４の外方に延び出されている。
【００３５】
また、ロアケース１４の表面２２において、ハーネス収容溝３８の側方に位置する外周部分には、第一の支持壁５２ａと第二の支持壁５２ｂが一体形成されており、第一の支持壁５２ａが第一の固定部２８ａ側に、第二の支持壁５２ｂが第二の固定部２８ｂ側に形成されている。第一の支持壁５２ａと第二の支持壁５２ｂは略同様の形状とされていることから、第二の支持壁５２ｂについては図中に第一の支持壁５２ａと同一の符号を付すことによりその説明を適宜に省略する。
【００３６】
図４に示すように、第一の支持壁５２ａは、支持壁面５４と傾斜案内面５６とを有する略一定の略直角三角形の断面形状をもって、ハーネス収容溝３８の延出方向に沿って一直線状に延び出されている。支持壁面５４は、表面２２に対して垂直に立ち上がる突壁形状とされており、特に第一の支持壁５２ａにおける支持壁面５４は、ハーネス収容溝３８においてロアケース１４の外側に位置する側面５８から連続して表面２２上に突出されている。また、傾斜案内面５６は、一方の端縁部が支持壁面５４と接続されていると共に、他方の端縁部が表面２２に接続されて、表面２２の外周部分からハーネス収容溝３８側に行くに連れて表面２２からの突出寸法が次第に大きくなる傾斜面とされている。これにより、第一の支持壁５２ａは、傾斜案内面５６を斜辺とする略直角三角形の断面形状をもって延び出されている。
【００３７】
図２に示したように、第一の支持壁５２ａは、ハーネス収容溝３８の側部に沿って、ハーネス収容溝３８に隣接して延び出されている。第一の支持壁５２ａは、ハーネス収容溝３８と略等しい長さ寸法（図２中、上下方向寸法）をもって形成されており、ロアケース１４の長手方向（図２中、上下方向）で一方の端部がハーネス収容溝３８の側方開口部４０と略等しく位置されていると共に、他方の端部がハーネス収容溝３８の表面開口部４２と略等しく位置されている。一方、第二の支持壁５２ｂは、第一の支持壁５２ａよりも短い長さ寸法をもって、ロアケース１４の長手方向で第二の固定部２８ｂ側の端部から、ハーネス収容溝３８の側部の延出方向（図２中、上下方向）に沿って延び出されている。これら第一の支持壁５２ａと第二の支持壁５２ｂが、ハーネス収容溝３８の側部となるロアケース１４の外周部分において、ハーネス収容溝３８の側部の延出方向で略同一直線上に互いに所定間隔を隔てて形成されている。
【００３８】
このような構造とされた電気接続箱１０は、図５および図６に示すように、ワイヤーハーネス６０が取り付け可能とされている。ワイヤーハーネス６０は、第一の固定部２８ａと第二の固定部２８ｂの２箇所において、ハーネスクランプ６２，６２を用いてロアケース１４に固定されている。
【００３９】
ハーネスクランプ６２は、従来公知のものが適宜に採用可能であることから、概要を説明する。本実施形態におけるハーネスクランプ６２は、図７に示すように、基部６４の一方の側に帯状のバンド部６６が連結されていると共に、バンド部６６と反対側に係止部６８が突出された形状とされている。バンド部６６は撓み変形可能とされており、一方の端部が基部６４に連結されている。そして、他方の端部がワイヤーハーネス６０を回り込んで基部６４の挿通孔７０に挿通されると共に、挿通孔７０内に形成された図示しない係止爪と係合されることによって、ハーネスクランプ６２がワイヤーハーネス６０に取り付けられるようになっている。一方、係止部６８は、基部６４から突出する略板形状とされている。また、係止部６８の基部６４からの突出基端部分には、薄肉の略円板形状とされて、係止部６８に向けて凹となる笠形状の付勢部７２が設けられている。
【００４０】
このようなハーネスクランプ６２の２つが、ワイヤーハーネス６０に取り付けられており、一方のハーネスクランプ６２の係止部６８が、第一の固定部２８ａの係合孔３６に差し込まれて固定板部３０ａに係止される。なお、ハーネスクランプ６２の付勢部７２が傾斜支持面３４に押し付けられて圧縮変形されることによって、付勢部７２の復元力で基部６４が傾斜支持面３４から離隔する方向に付勢されて、係止部６８が固定板部３０ａに押し付けられるようになっている。これにより、ハーネスクランプ６２が第一の固定部２８ａに取り付けられて、ワイヤーハーネス６０がハーネスクランプ６２を介して第一の固定部２８ａに固定される。同様にして、他方のハーネスクランプ６２が第二の固定部２８ｂに固定されることにより、ワイヤーハーネス６０が、第二の固定部２８ｂに固定される。
【００４１】
そして、ワイヤーハーネス６０において、第一の固定部２８ａへの固定箇所と第二の固定部２８ｂへの固定箇所の間の中間部分７４が、ハーネス収容溝３８に嵌め入れられる。なお、本実施形態におけるワイヤーハーネス６０の径寸法は、ハーネス収容溝３８の溝幅寸法よりも大きくされており、ワイヤーハーネス６０はハーネス収容溝３８に部分的に嵌め入れられていると共に、ハーネス収容溝３８からの露出部分が第一の支持壁５２ａの支持壁面５４に係止されている。これにより、ワイヤーハーネス６０がロアケース１４の表面２２上で、ロアケース１４の長手方向に延出して配設されている。そして、図５に示したように、ワイヤーハーネス６０から分岐された複数のコネクタ７６が、アッパケース１２側に回り込まされてアッパケース１２のコネクタ装着部に装着されたり、ロアケース１４のコネクタ装着部２４に装着されることにより、ワイヤーハーネス６０が電気接続箱１０内のプリント基板１６と電気的に接続されるようになっている。
【００４２】
このような構造とされた電気接続箱１０によれば、第一の固定部２８ａと第二の固定部２８ｂの２箇所でワイヤーハーネス６０を固定すると共に、ワイヤーハーネス６０において、それら両固定部２８ａ，２８ｂの中間部分７４を、ハーネス収容溝３６に嵌め入れて表面２２上で固定することが出来る。これにより、ワイヤーハーネス６０の中間部分７４の移動を抑えて、他部材との干渉等を軽減することが出来る。特に、ワイヤーハーネス６０を２箇所の固定部２８ａ，２８ｂにおいてハーネスクランプ６２，６２で点で位置決めすると共に、中間部分７４をハーネス収容溝３８に嵌め入れることで線で位置決め出来ることから、安定的に位置決めすることが出来る。また、ワイヤーハーネス６０の中間部分７４は、ハーネス収容溝３８に嵌め入れるという簡易な操作で電気接続箱１０に固定することが出来る。更に、中間部分７４をハーネス収容溝３８に嵌め入れることによって、ワイヤーハーネス６０の表面２２からの突出寸法を低減して、他部材との干渉をより軽減することが出来ると共に、ワイヤーハーネス６０が固定された状態での電気接続箱１０の小型化を図ることも出来る。
【００４３】
そして、第一の固定部２８ａおよび第二の固定部２８ｂはロアケース１４の外周面２６ａ，２６ｂから突出して形成されていると共に、ハーネス収容溝３８は有底の溝形状とされている。これにより、両固定部２８ａ，２８ｂおよびハーネス収容溝３８は、何れもロアケース１４の表面２２や外周壁２０を穿つことなく形成することが出来る。その結果、電気接続箱１０の防水性を確保しつつ、ワイヤーハーネス６０をより安定的に固定することが出来る。
【００４４】
さらに、本実施形態においては、第一の固定部２８ａと第二の固定部２８ｂの位置が電気接続箱１０の厚さ方向で異ならされていることから、ワイヤーハーネス６０が表面２２に対して傾斜して組み付けられ、中間部分７４において弛みが生じ易くなるおそれがある。しかし、本実施形態によれば、ハーネス収容溝３８の底面４４がワイヤーハーネス６０の中間部分の延出方向に沿うように傾斜されていることから、中間部分をより弛み無く安定して保持することが出来る。また、第一の固定部２８ａの傾斜支持面３４を、ハーネス収容溝３８の底面４４と同様に傾斜させたことにより、底面４４と第一の固定部２８ａ間のワイヤーハーネス６０の弛みを取り除くことが出来ると共に、ワイヤーハーネス６０のハーネス収容溝３８からの延び出し部分に対して、傾斜支持面３４で所定の方向性を付与することも出来る。
【００４５】
また、ロアケース１４の表面２２には第一の支持壁５２ａおよび第二の支持壁５２ｂが形成されており、ワイヤーハーネス６０の中間部分７４が、これら支持壁５２ａ，５２ｂの支持壁面５４，５４に係止されるようになっている。これにより、ワイヤーハーネス６０において第一の固定部２８ａおよび第二の固定部２８ｂへの固定部分に加えられる抜け方向の力を支持壁面５４，５４で補強的に支持することで、第一の固定部２８ａおよび第二の固定部２８ｂにおけるワイヤーハーネス６０の固定を一層安定して行うことが出来る。特に、ワイヤーハーネス６０の撓み量が小さい第一の固定部２８ａおよび第二の固定部２８ｂへの固定部分の付近に第一の支持壁５２ａおよび第二の支持壁５２ｂを設けたことにより、支持壁面５４，５４の高さが比較的小さくとも、十分な補強効果を得ることが出来る。その結果、ハーネス収容溝３８の深さを深くすることなく、支持壁５２ａ，５２ｂと協働してワイヤーハーネス６０を位置決め保持することが出来、特に電気接続箱１０内のスペース確保が困難で、ハーネス収容溝３８の深さを確保出来ない場合でも、ワイヤーハーネス６０を安定的に保持することが出来る。
【００４６】
さらに、第一の支持壁５２ａと第二の支持壁５２ｂによって、ワイヤーハーネス６０の中間部分７４をハーネス収容溝３８の延出方向に方向付けすることが出来て、ハーネス収容溝３８への収容状態をより安定的に保持することが出来る。特に、第一の固定部２８ａ側と第二の固定部２８ｂ側の両方に第一の支持壁５２ａおよび第二の支持壁５２ｂがそれぞれ形成されていることから、ワイヤーハーネス６０を、中間部分７４の両端部のそれぞれで所定の長さ寸法に亘ってより精度良く方向付けすることが出来る。また、第一の支持壁５２ａの支持壁面５４は、ハーネス収容溝３８の側面５８と連続して形成されている。これにより、支持壁面５４によって側面５８の実質的な大きさが大きくされており、ハーネス収容溝３８から露出する大径のワイヤーハーネス６０であっても、支持壁面５４で係止することによってハーネス収容溝３８への部分的な嵌め入れ状態で安定して保持することが出来る。
【００４７】
さらに、第一の支持壁５２ａおよび第二の支持壁５２ｂには、ハーネス収容溝３８側に向けて表面２２からの突出寸法が次第に大きくなる傾斜案内面５６，５６がそれぞれ形成されている。これにより、ワイヤーハーネス６０の中間部分７４を電気接続箱１０の外側から傾斜案内面５６，５６でハーネス収容溝３８側に案内することが出来て、中間部分７４のハーネス収容溝３８への嵌め入れをより容易且つ円滑に行うことが出来る。
【００４８】
以上、本発明の実施形態について詳述したが、本発明はその具体的な記載によって限定されない。例えば、ハーネス収容溝の具体的形状は前記実施形態の如き形状に限定されるものではなく、ハーネス収容溝を固定部間の全長に亘って延び出させても良いし、必ずしもロアケースの表面に対して傾斜されている必要は無い。また、ハーネス収容溝を複数形成することも可能であり、例えば他方の固定部側にもハーネス収容溝を形成する等しても良い。
【００４９】
さらに、ワイヤーハーネスを固定する２つの固定部は、電気接続箱の厚さ方向（図３における左右方向）で互いに同一位置に形成されていても良い。そのような場合には、２つの固定部の両方を、前記実施形態における第一の固定部２８ａのように、電気接続箱１０の厚さ方向で表面２２に対して位置を異ならせて外周面２６ａ，２６ｂの中間部分に形成しても良いし、第二の固定部２８ｂのように、表面２２と同一平面上に形成しても良い。更にまた、例えばワイヤーハーネス６０の配設態様等を考慮して、第二の固定部２８ｂも第一の固定部２８ａのように傾斜して形成することも可能である。そのような場合には、第一の固定部２８ａと第二の固定部２８ｂの傾斜方向は互いに等しくしても良いし、互いに異ならせても良い。また、前記実施形態における固定部へのワイヤーハーネスの固定態様もあくまでも例示であって、前記実施形態の如きハーネスクランプを用いるものに限定されず、例えば樹脂や金属からなる帯状のバンドや粘着テープ等を用いて固定部に直接に固定する等しても良い。
【００５０】
更にまた、支持壁は必ずしも必要ではないが、ワイヤーハーネスへの外力の加わり方等を考慮して、例えば一方の固定部側と他方の固定部側の何れか一方のみに設けたり、ワイヤーハーネスがハーネス収容溝から外れ易い場所のみに設ける等しても良い。また、支持壁を、ハーネス収容溝の側方の両側に形成しても良い。
【符号の説明】
【００５１】
１０：電気接続箱、１２：アッパケース、１４：ロアケース、１６：プリント基板、２２：表面、２６ａ，ｂ：外周面、２８ａ：第一の固定部（一方の固定部）、２８ｂ：第二の固定部（他方の固定部）、３０ａ，ｂ：固定板部、３４：傾斜支持面、３８：ハーネス収容溝、４０：側方開口部、４２：表面開口部、４４：底面、４６：傾斜面、４８：平坦面、５２ａ：第一の支持壁、５２ｂ：第二の支持壁、５４：支持壁面、５６：傾斜案内面、６０：ワイヤーハーネス
【図１】
0005585777.tif 000002
【図２】
0005585777.tif 000003
【図３】
0005585777.tif 000004
【図４】
0005585777.tif 000005
【図５】
0005585777.tif 000006
【図６】
0005585777.tif 000007
【図７】
0005585777.tif 000008